(57)【要約】【課題】原子力発電所システムを制御するプラント制御装置の保守を、効率よく行うことができる保守装置を得る。【解決手段】保守用端末に搭載された保守ツールは、複数の作業タスクからなるタスク選択画面２１を表示して、いずれかの作業タスクを選択させたのち、作業タスクの作業対象となるプラント制御装置を選択させる装置選択画面２２に遷移し、作業対象となるプラント制御装置を選択させ、次に、カードフレーム選択画面２３に遷移して、作業対象となるカードフレームを選択させ、さらにカード選択画面２４に遷移して、作業対象となるカードを選択させたのち、隔離設定画面２５に遷移して、作業対象のカードを隔離し、次いで、隔離確認画面２６に遷移して、プラント制御装置から送られる該当カードの隔離状態を表示するようにした。【選択図】図３
2014164455.tif 000002
【特許請求の範囲】
【請求項１】
複数の作業タスクから、いずれかの作業タスクを選択させるタスク選択画面を表示するタスク選択手段、
上記タスク選択手段により選択された作業タスクの作業対象装置の作業対象個所を選択させる作業対象選択画面を表示する作業対象選択手段、
上記作業対象選択画面により選択された作業対象装置の上記作業対象個所を隔離するよう設定する隔離設定画面を表示する隔離設定手段、
及び上記作業対象装置の上記作業対象個所の隔離状態を確認させる隔離確認画面を表示する隔離確認手段を備えたことを特徴とする保守装置。
【請求項２】
上記作業対象選択手段は、上記作業対象装置の上記作業対象個所が選択されるまで、上記作業対象選択画面を遷移させることを特徴とする請求項１記載の保守装置。
【請求項３】
上記作業対象選択手段は、上記作業対象装置が故障した場合の故障情報を上記作業対象装置から取得し、この取得した故障情報に該当する上記作業対象選択画面上の作業対象装置の作業対象個所の表示方法を変更することを特徴とする請求項１または請求項２記載の保守装置。
【請求項４】
上記作業対象選択手段によって選択される上記作業対象装置の上記作業対象個所は複数個所であることを特徴とする請求項１〜請求項３のいずれか一項記載の保守装置。
【発明の詳細な説明】
【技術分野】
【０００１】
この発明は、原子力発電所システムの定期点検時などで、プラント制御装置の保守・点検、および搭載ロジックの変更等に用いる保守ツールを搭載した保守装置に関するものである。
【背景技術】
【０００２】
従来の発電プラント操作・監視装置においては、選択した機器に対応するメニューを読み出して作業項目を選択可能とする機能はあったが、複数の作業項目に対応するメニューを読み出して対象機器を選択する機能は無かった。
また、原子力発電所システムの定期点検時などで、プラント制御装置の保守・点検、および搭載ロジックの変更等に用いる保守ツールにおいても当該機能は無かった。（例えば、特許文献１参照）
【先行技術文献】
【特許文献】
【０００３】
【特許文献１】特開平１０−３９９１９号公報（第３〜４頁、第１図）
【発明の概要】
【発明が解決しようとする課題】
【０００４】
従来の、原子力発電所システムの定期点検時などで、プラント制御装置の保守・点検、および搭載ロジックの変更等に用いる保守ツールは、定期点検時などで特定の作業を行う際に、保守ツール内の各機能を個別に呼び出し、マニュアルを見ながら正しい操作を正確に行う必要があるため、作業員の経験がある程度必要となり、復旧までに時間的制約のある局面では問題があった。
【０００５】
この発明は、上述のような課題を解決するためになされたものであり、原子力発電所システムを制御するプラント制御装置の保守を、効率よく行うことができる保守装置を得ることを目的とする。
【課題を解決するための手段】
【０００６】
この発明に係わる保守装置においては、複数の作業タスクから、いずれかの作業タスクを選択させるタスク選択画面を表示するタスク選択手段、タスク選択手段により選択された作業タスクの作業対象装置の作業対象個所を選択させる作業対象選択画面を表示する作業対象選択手段、作業対象選択画面により選択された作業対象装置の作業対象個所を隔離するよう設定する隔離設定画面を表示する隔離設定手段、及び作業対象装置の作業対象個所の隔離状態を確認させる隔離確認画面を表示する隔離確認手段を備えたものである。
【発明の効果】
【０００７】
この発明によれば、複数の作業タスクから、いずれかの作業タスクを選択させるタスク選択画面を表示するタスク選択手段、タスク選択手段により選択された作業タスクの作業対象装置の作業対象個所を選択させる作業対象選択画面を表示する作業対象選択手段、作業対象選択画面により選択された作業対象装置の作業対象個所を隔離するよう設定する隔離設定画面を表示する隔離設定手段、及び作業対象装置の作業対象個所の隔離状態を確認させる隔離確認画面を表示する隔離確認手段を備えたので、作業タスクから選択することにより、作業対象装置の作業対象個所を選択でき、作業の効率化を図ることができる。
【図面の簡単な説明】
【０００８】
【図１】この発明の実施の形態１による原子力発電所システムを示す全体構成図である。
【図２】この発明の実施の形態１による保守用端末を示す構成図である。
【図３】この発明の実施の形態１による保守ツールの画面遷移フローを示す図である。
【図４】この発明の実施の形態２による保守ツールの画面遷移フローを示す図である。
【発明を実施するための形態】
【０００９】
実施の形態１．
以下、この発明の実施の形態１を図に基づいて説明する。
図１は、この発明の実施の形態１による原子力発電所システムを示す全体構成図である。
図１において、保守用端末１（保守装置）は、原子力発電所システムの定期点検時などで、原子力発電所システムを制御するプラント制御装置２の保守・点検及び搭載ロジックの変更等に用いられる保守ツールを搭載している。プラント制御装置２は、原子力発電所システムを構成する補機３を制御するコントローラである。制御ネットワーク４は、プラント制御装置と保守用端末１とを接続するように配置されている。
なお、保守用端末１には、原子力発電所システムを監視及び操作するプラント監視・操作機能を保守ツールとともに搭載してもよい。
【００１０】
図２は、この発明の実施の形態１による保守用端末を示す構成図である。
図２において、保守用端末１は、プラント制御装置２の保守・点検及び搭載ロジックの変更等に用いられる保守ツール１０を搭載している。
保守ツール１０は、後述するタスク選択画面を表示するタスク選択機能１１（タスク選択手段）と、後述する装置選択画面、カードフレーム選択画面及びカード選択画面などの作業対象選択画面を表示し、作業対象のプラント制御装置（作業対象装置）及びその作業対象個所を選択させる作業対象選択機能１２（作業対象選択手段）と、後述する隔離設定画面を表示する隔離設定機能１３（隔離設定手段）と、プラント制御装置２からフィードバック情報を取得し、後述する隔離確認画面を表示する隔離確認機能１４（隔離確認手段）とを有する。
【００１１】
図３は、この発明の実施の形態１による保守ツールの画面遷移フローを示す図である。
図３において、保守ツール１０上の画面は、後述するタスク選択画面２１、装置選択画面２２、カードフレーム選択画面２３、カード選択画面２４、隔離設定画面２５、隔離確認画面２６から構成される。
【００１２】
タスク選択画面２１は、保守ツール１０のトップメニューから遷移することが可能であり、複数の作業メニューとなるボタンから構成される。装置選択画面２２は、タスク選択画面２１で選択した作業メニューに従い、遷移する画面であり、作業対象となる複数のプラント制御装置を示すボタンで構成される。
カードフレーム選択画面２３は、装置選択画面２２で選択したプラント制御装置に従い遷移する画面であり、作業対象となる複数のカードフレーム（プラント制御装置２に含まれる。）を示すボタンで構成される。カード選択画面２４は、カードフレーム選択画面２３で選択したカードフレームに従い遷移する画面であり、作業対象となる複数のカードを示すボタンで構成される。
【００１３】
隔離設定画面２５は、カード選択画面２４で選択したカードに従い遷移する画面であり、作業対象カードの設定値変更など、詳細設定が可能な数値入力画面である。隔離確認画面２６は、隔離設定画面２５で詳細設定を実行した後に遷移する画面であり、プラント制御装置の設定状態が確認可能な画面である。
【００１４】
次に、保守ツール１０の動作について、画面遷移フローを示す図３を用いて説明する。
タスク選択画面２１において、複数の作業メニューから、実施する作業、例えばカード故障時においてはカード交換作業を示すボタンを選択する。作業メニューのデータベースは保守用端末１に搭載され、保守ツール１０上のタスク選択画面２１上の作業名を記載した各ボタンへの割付を行う。
次に、装置選択画面２２において、交換対象カードを実装しているプラント制御装置、図３では、ＦＣＳ１のボタンを選択する。その際、故障カードを実装しているプラント制御装置の装置名が記載されたボタンであるＦＣＳ１は、バックライトを点灯させることで、作業員による装置選択の誤操作防止と、故障装置判別の迅速化による作業効率の改善を可能としている。ここで、バックライトが消灯したボタンを選択した場合は、操作を無効とすることで誤操作を防止する。
なお、故障情報は、プラント制御装置２から保守用端末１に送信され、保守ツール１０上に表示されるようになっている。これにより、故障カードを実装しているプラント制御装置名が記載されたボタンのバックライトを点灯することができる。
【００１５】
装置選択後、カードフレーム選択画面２３で、作業対象となるカードフレームを示すボタンを選択する。ここでも、該当するカードフレームのバックライトが点灯されるので、そのカードフレームのボタンＣＦ１を選択する。
カードフレーム選択後は、当該カードフレーム内の交換対象カードを示すボタンを、カード選択画面２４で、選択する。このカード選択画面２４においても、装置選択画面２２と同様に故障カードのカード名が記載されたボタンＳＬＯＴ０のバックライトを点灯させる。
【００１６】
カード選択後、隔離設定画面２５において、出力値を特定の値に設定することで当該カードの隔離を行う。ここで、隔離設定とは、カード交換作業時に補機側への出力値を一定の値に設定することで、交換作業時にカードを挿抜している場合においても補機３の制御に影響を与えないよう隔離するための設定である。
隔離設定完了後、隔離確認画面２６上で、プラント制御装置２からのフィードバック情報により、現場に直接行くことなく、装置状態を確認することが可能である。図３では、ＦＣＳ１、ＣＦ１、ＳＬＯＴ０のカードが「隔離」となっている。このフィードバック情報は、装置状態を伝送する指示計によって、プラント制御装置２から保守用端末１に、プラント制御装置の設定状態を送信することによって得られる。
【００１７】
実施の形態１によれば、原子力発電所システムの定期点検時などで、プラント制御装置の保守・点検、および搭載ロジックの変更等に用いる保守ツールにおいて、保守作業ごとに作業実施項目を各遷移画面で選択していくだけで保守作業の実施が可能になる。
このため、マニュアルを見ながら複数個所に分散された機能を使用して作業することがないため、作業員の経験に因らず、作業手順を意識せずとも一連の流れで保守作業を実施可能であり、現場に直接行くことなく装置状態の確認が可能となることから、作業時間の短縮化、作業員の負担軽減による作業効率の改善が可能となる。
また、作業対象のプラント制御装置・カードを明示する機能により、対象装置・カードが一目で判別可能であることから、作業員の誤操作を防止可能である。
【００１８】
実施の形態２．
実施の形態１では、カード故障時における単一カードの交換作業について説明したが、実施の形態２は、複数カードの同時交換作業に適用する場合についてのものである。
図４は、この発明の実施の形態２による保守ツールの画面遷移フローを示す図である。
図４において、２１〜２６は図３におけるものと同一のものである。図４では、カード選択画面２４上で、複数のカード名、ＳＬＯＴ０、ＳＬＯＴ１のボタンのバックライトが点灯されている。
【００１９】
次に、保守ツール１０の動作について、図４を用いて説明する。
タスク選択画面２１において、カード交換作業を示すボタンを選択する。作業メニューのデータベースは保守用端末１に搭載され、保守ツール１０上のタスク選択画面２１上の作業名を記載した各ボタンへの割付を行う。
次に、装置選択画面２２において、交換対象カードを実装しているプラント制御装置を示すボタンを選択する。その際、故障カードを実装しているプラント制御装置の装置名が記載されたボタンは、バックライトを点灯させることで、作業員による装置選択の誤操作防止と、故障装置判別の迅速化による作業効率の改善を可能としている。ここで、バックライトが消灯したボタンを選択した場合は操作を無効とすることで誤操作を防止する。
【００２０】
装置選択後、カードフレーム選択画面２３で、作業対象のカードフレームを示すボタンを選択する。ここでも、該当するカードフレームのバックライトが点灯されるので、そのカードフレームＣＦ１を選択する。
カードフレーム選択後は、当該カードフレーム内の交換対象カードを示すボタンを、カード選択画面２４で、複数個選択する。このカード選択画面２４においても、装置選択画面２２と同様に故障カードのカード名が記載されたボタンＳＬＯＴ０、ＳＬＯＴ１は、バックライトを点灯させる。
【００２１】
カード選択後、隔離設定画面２５において出力値を特定の値に設定することで当該カードの隔離を行う。隔離設定用のウィンドウは、カード選択画面２４において選択したカード枚数と同じ数量が表示される。
隔離設定完了後、隔離確認画面２６上でプラント制御装置２からのフィードバック情報により、現場に直接行くことなく装置状態を確認することが可能である。図４の隔離確認画面２６では、ＦＣＳ１、ＣＦ１、ＳＬＯＴ０及びＳＬＯＴ１のカードが「隔離」となっている。このフィードバック情報は、装置状態を伝送する指示計によって、プラント制御装置２から保守用端末１に、プラント制御装置の設定状態を送信することによって得られる。
【００２２】
実施の形態２によれば、原子力発電所システムの定期点検時などで、プラント制御装置の保守・点検、および搭載ロジックの変更等に用いる保守ツールにおいて、保守作業ごとに作業実施項目を各遷移画面で選択していくだけで保守作業の実施が可能となる。
このため、マニュアルを見ながら複数個所に分散された機能を使用して作業することがないため、作業員の経験に因らず、作業手順を意識せずとも一連の流れで保守作業を実施可能であり、現場に直接行くことなくプラント制御装置の装置状態の確認が可能となることから、作業時間の短縮化、作業員の負担軽減による作業効率の改善が可能となる。
また、作業対象のプラント制御装置・カードを明示する機能により対象装置・カードが一目で判別可能であることから、作業員の誤操作を防止可能である。
【００２３】
なお、本発明は、その発明の範囲内において、各実施の形態を自由に組み合わせたり、各実施の形態を適宜、変形、省略することが可能である。
【符号の説明】
【００２４】
１  保守用端末、２  プラント制御装置、３  補機、４  制御ネットワーク、
１０  保守ツール、１１  タスク選択機能、１２  作業対象選択機能、
１３  装置隔離機能、１４  装置確認機能、２１  タスク選択画面、２２  装置選択画面、２３  カードフレーム選択画面、２４  カード選択画面、２５  隔離設定画面、２６  隔離確認画面。
【図１】
2014164455.tif 000003
【図２】
2014164455.tif 000004
【図３】
2014164455.tif 000005
【図４】
2014164455.tif 000006